(57)【要約】  高圧空間と低圧空間とのシール性を高める。電動装置（電動過給機１）は、相対的に高圧なモータ室１４と、相対的に低圧なインバータ室１９とを隔てる隔壁部４ｂと、インバータ室１９に設けられ、電力を供給するインバータ２０と、モータ室１４に設けられ、インバータ２０から電力の供給を受けて作動するモータ１５と、隔壁部４ｂに設けられた隔壁貫通孔４ｃに挿通されるとともに、隔壁部４ｂに取り付けられ、インバータ２０とモータ１５とを接続するバスバ装置２１と、を備え、バスバ装置２１は、インバータ２０とモータ１５とを接続するバスバ３１と、バスバ３１が挿通されたプレート部３０と、プレート部３０とバスバ３１との間に満たされ、プレート部３０に対してバスバ３１を取り付ける非導電性の樹脂部３２と、を備え、バスバ装置２１は、プレート部３０がモータ室１４側に配される。
2017141877.tif 000002
【特許請求の範囲】
【請求項１】
相対的に高圧な高圧空間と、相対的に低圧な低圧空間とを隔てる隔壁部と、
前記高圧空間および前記低圧空間の一方に設けられ、電力を供給する電力供給装置と、
前記高圧空間および前記低圧空間の他方に設けられ、前記電力供給装置から電力の供給を受けて作動する作動装置と、
前記隔壁部に設けられた貫通孔である隔壁貫通孔に挿通されるとともに、前記隔壁部に取り付けられ、前記電力供給装置と前記作動装置とを接続するバスバ装置と、
を備え、
前記バスバ装置は、
前記電力供給装置と前記作動装置とを接続するバスバと、
前記バスバが挿通されたプレート部と、
前記プレート部と前記バスバとの間に満たされ、前記プレート部に対して前記バスバを取り付ける非導電性の樹脂部と、
を備え、
前記バスバ装置は、
前記プレート部が前記高圧空間側に配される電動装置。
【請求項２】
前記プレート部と前記隔壁部との間に配されるシール部をさらに備える請求項１に記載の電動装置。
【請求項３】
前記バスバは、前記プレート部に対して隙間を持って複数挿通され、
前記樹脂部は、
前記プレート部と前記複数のバスバとの間、および、前記複数のバスバの間に満たされ、前記プレート部に対して前記バスバを取り付ける請求項１または２に記載の電動装置。
【請求項４】
前記バスバ装置は、
前記低圧空間側に開口し、前記高圧空間側まで貫通されていないネジ溝を有し、
前記隔壁部を隔てた前記低圧空間側に前記ネジ溝に対応するボルトが配される請求項１から３のいずれか１項に記載の電動装置。
【請求項５】
前記バスバ装置は、
前記ネジ溝を有するインサートナットをさらに備える請求項４に記載の電動装置。
【請求項６】
前記バスバ装置は、
前記インサートナットよりも前記高圧空間側に配される袋ナットをさらに備える請求項５に記載の電動装置。
【請求項７】
前記プレート部、前記樹脂部および前記ネジ溝が非導電性の部材で一体形成されている請求項４に記載の電動装置。
【請求項８】
前記電力供給装置は、インバータであり、
前記作動装置は、モータであり、
前記モータのロータであるシャフトの一端に取り付けられたコンプレッサインペラをさらに備える電動過給機である請求項１から７のいずれか１項に記載の電動装置。
【請求項９】
前記高圧空間と、前記コンプレッサインペラが設けられた空間とを隔てる隔離部をさらに備え、
前記隔離部は、前記高圧空間と、前記コンプレッサインペラが設けられた空間とを連通させる隔離貫通孔を備える請求項８に記載の電動装置。
【請求項１０】
コンプレッサインペラと、
前記コンプレッサインペラを一端に備えるシャフトと、
前記シャフトを回転駆動するモータと、
前記モータに電力を供給するインバータと、
前記モータが収容され，前記コンプレッサインペラと連通した第１の空間と、
前記インバータが収容された第２の空間と、
前記第１の空間と前記第２の空間とを隔て、隔壁貫通孔を備えた隔壁と、
前記隔壁貫通孔の前記第１の空間側に取り付けられ、バスバ貫通孔を備えたプレート部と、
前記バスバ貫通孔に挿通されたバスバと、
前記バスバと前記バスバ貫通孔との間にある非導電性の樹脂部と、
を備える電動過給機。
【請求項１１】
前記プレート部は、貫通されていないネジ溝を有し、
前記第２の空間側から挿入されたボルトと前記ネジ溝が螺合する請求項１０に記載の電動過給機。
【発明の詳細な説明】
【技術分野】
【０００１】
本開示は、相対的に高圧な高圧空間と相対的に低圧な低圧空間とを隔てる隔壁部を介して、電力を供給する電力供給装置と、電力の供給を受けて作動する作動装置とが、バスバにより接続される電動装置および電動過給機に関する。
【背景技術】
【０００２】
従来、電動装置は、電力を供給するインバータと、インバータからの電力の供給を受けて作動するモータとが隔壁部を介して異なる空間に設けられている。電動装置は、隔壁部に設けられた貫通孔にバスバが挿通される。電動装置は、バスバを介してインバータとモータとを接続する電動装置が提案されている（例えば、特許文献１）。
【先行技術文献】
【特許文献】
【０００３】
【特許文献１】特開２０１１−２２３７７５号公報
【発明の概要】
【発明が解決しようとする課題】
【０００４】
ところで、電動装置では、モータのような作動装置と、インバータのような電力供給装置とが、相対的に高圧な高圧空間、および、相対的に低圧な低圧空間にそれぞれ設けられることがある。このような場合に、上記特許文献１に記載の電動装置では、隔壁部に設けられた貫通孔とバスバとの間に隙間が形成されてしまう。そのため、高圧空間を密閉することができないといった問題が生じてしまう。【０００５】
本開示の目的は、高圧空間と低圧空間とのシール性を高めることが可能な電動装置および電動過給機を提供することである。
【課題を解決するための手段】
【０００６】
上記課題を解決するために、本開示の一形態に係る電動装置は、相対的に高圧な高圧空間と、相対的に低圧な低圧空間とを隔てる隔壁部と、高圧空間および低圧空間の一方に設けられ、電力を供給する電力供給装置と、高圧空間および低圧空間の他方に設けられ、電力供給装置から電力の供給を受けて作動する作動装置と、隔壁部に設けられた貫通孔である隔壁貫通孔に挿通されるとともに、隔壁部に取り付けられ、電力供給装置と作動装置とを接続するバスバ装置と、を備え、バスバ装置は、電力供給装置と作動装置とを接続するバスバと、バスバが挿通されたプレート部と、プレート部とバスバとの間に満たされ、プレート部に対してバスバを取り付ける非導電性の樹脂部と、を備え、バスバ装置は、プレート部が高圧空間側に配される。【０００７】
また、プレート部と隔壁部との間に配されるシール部をさらに備えるとよい。【０００８】
バスバは、プレート部に対して隙間を持って複数挿通され、樹脂部は、プレート部と複数のバスバとの間、および、複数のバスバの間に満たされ、プレート部に対してバスバを取り付けるとよい。【０００９】
また、バスバ装置は、低圧空間側に開口し、高圧空間側まで貫通されていないネジ溝を有し、隔壁部を隔てた低圧空間側にネジ溝に対応するボルトが配されるとよい。【００１０】
また、バスバ装置は、ネジ溝を有するインサートナットをさらに備えるとよい。【００１１】
また、バスバ装置は、インサートナットよりも高圧空間側に配される袋ナットをさらに備えるとよい。【００１２】
また、プレート部、樹脂部およびネジ溝が非導電性の部材で一体形成されているとよい。【００１３】
また、電力供給装置は、インバータであり、作動装置は、モータであり、モータのロータであるシャフトの一端に取り付けられたコンプレッサインペラをさらに備える電動過給機であるとよい。【００１４】
また、高圧空間と、コンプレッサインペラが設けられた空間とを隔てる隔離部をさらに備え、隔離部は、高圧空間と、コンプレッサインペラが設けられた空間とを連通させる隔離貫通孔をさらに備えるとよい。【００１５】
また、本開示の一形態に係る電動過給機は、コンプレッサインペラと、コンプレッサインペラを一端に備えるシャフトと、シャフトを回転駆動するモータと、モータに電力を供給するインバータと、モータが収容され，コンプレッサインペラと連通した第１の空間と、インバータが収容された第２の空間と、第１の空間と第２の空間とを隔て、隔壁貫通孔を備えた隔壁と、隔壁貫通孔の第１の空間側に取り付けられ、バスバ貫通孔を備えたプレート部と、バスバ貫通孔に挿通されたバスバと、バスバとバスバ貫通孔との間にある非導電性の樹脂部と、を備える。【００１６】
また、プレート部は、貫通されていないネジ溝を有し、第２の空間側から挿入されたボルトとネジ溝が螺合するとよい。
【発明の効果】
【００１７】
本開示によれば、高圧空間と低圧空間とのシール性を高めることが可能となる。
【図面の簡単な説明】
【００１８】
【図１】電動過給機の概略断面図である。
【図２】図２（ａ）は、モータ室側から観たバスバ装置の斜視図である。図２（ｂ）は、インバータ室側から観たバスバ装置の斜視図である。図２（ｃ）は、図２（ａ）におけるＸ−Ｘ線断面図である。
【図３】図３（ａ）は、変形例１におけるモータ室側から観たバスバ装置の斜視図である。図３（ｂ）は、変形例１におけるインバータ室側から観たバスバ装置の斜視図である。図３（ｃ）は、図３（ａ）におけるＹ−Ｙ線断面図である。
【図４】図４（ａ）は、変形例２におけるモータ室側から観たバスバ装置の斜視図である。図４（ｂ）は、変形例２におけるインバータ室側から観たバスバ装置の斜視図である。図４（ｃ）は、図４（ａ）におけるＺ−Ｚ線断面図である。
【発明を実施するための形態】
【００１９】
以下に添付図面を参照しながら、本開示の実施形態について詳細に説明する。実施形態に示す寸法、材料、その他具体的な数値等は、理解を容易とするための例示にすぎず、特に断る場合を除き、本開示を限定するものではない。なお、本明細書および図面において、実質的に同一の機能、構成を有する要素については、同一の符号を付することにより重複説明を省略する。また本開示に直接関係のない要素は図示を省略する。
【００２０】
図１は、電動過給機１の概略断面図である。以下では、図１に示す矢印Ｌ方向を電動過給機１の左側とする。また、図１に示す矢印Ｒ方向を電動過給機１の右側として説明する。図１に示すように、電動過給機１（電動装置）は、モータハウジング２と、インバータハウジング４と、コンプレッサハウジング６とが設けられている。インバータハウジング４は、モータハウジング２の右側に締結ボルト３によって連結される。コンプレッサハウジング６は、モータハウジング２の左側に締結機構５によって連結される。
【００２１】
モータハウジング２は、左右方向に延在する略筒形状の本体部２ａと、コンプレッサハウジング６側の一端が、中心方向に向かって延在する隔離部２ｂとが一体形成されている。隔離部２ｂには、左右方向に貫通した軸受貫通孔２ｃが形成されている。本体部２ａには、複数の放熱フィンが外側面に突出形成されている。これにより、本体部２ａは、周囲の空気によるモータハウジング２の冷却効率を向上させる。また、モータハウジング２は、軸受貫通孔２ｃに軸受７が設けられている。
【００２２】
インバータハウジング４は、筒形状の本体部４ａと、隔壁部４ｂとが一体形成されている。本体部４ａは、左右方向に延在する。隔壁部４ｂは、左右方向の略中央に、中心方向に向かって延在する。隔壁部４ｂにおけるモータハウジング２側（左側）には軸受８が設けられている。
【００２３】
そして、電動過給機１では、モータハウジング２に設けられた軸受７と、インバータハウジング４に設けられた軸受８とによって、シャフト９が回転自在に軸支されている。シャフト９の左端部にはコンプレッサインペラ１０が一体的に取り付けられている。コンプレッサインペラ１０は、コンプレッサハウジング６内に回転自在に収容されている。
【００２４】
コンプレッサハウジング６には、吸気口１１が形成されている。吸気口１１は、電動過給機１の右側に開口する。吸気口１１は、不図示のエアクリーナに接続される。また、締結機構５によってモータハウジング２とコンプレッサハウジング６が連結された状態では、ディフューザ流路１２が形成される。ディフューザ流路１２は、これらのモータハウジング２とコンプレッサハウジング６の対向面によって、空気を昇圧する。ディフューザ流路１２は、シャフト９の径方向内側から外側に向けて環状に形成されている。シャフト９の径方向内側において、コンプレッサインペラ１０を介して吸気口１１に連通している。
【００２５】
また、コンプレッサハウジング６には、環状のコンプレッサスクロール流路１３が設けられている。コンプレッサスクロール流路１３は、ディフューザ流路１２よりもシャフト９の径方向外側に位置する。コンプレッサスクロール流路１３は、不図示のエンジンの吸気口と連通する。コンプレッサスクロール流路１３は、ディフューザ流路１２にも連通している。したがって、コンプレッサインペラ１０が回転すると、吸気口１１からコンプレッサハウジング６内に空気が吸気される。そして、吸気された空気は、コンプレッサインペラ１０の翼間を流通する過程において遠心力の作用により増速される。増速された空気は、ディフューザ流路１２およびコンプレッサスクロール流路１３で昇圧される。昇圧された空気は、エンジンの吸気口に導かれる。
【００２６】
また、電動過給機１では、締結ボルト３によってモータハウジング２とインバータハウジング４とが連結された状態で、モータ室１４が形成される。モータ室１４は、モータハウジング２とインバータハウジング４とによって囲まれた空間である。モータ室１４内には、モータ１５が設けられている。
【００２７】
モータ１５は、所謂３相永久磁石同期モータである。モータ１５は、永久磁石１６およびステータ１７を含んで構成される。永久磁石１６は、軸受７および軸受８の間において、シャフト９の外周面上にシャフト９と一体回転するように複数設けられている。シャフト９および永久磁石１６は、モータ１５のロータとして機能する。ステータ１７は、巻線が巻回されたＵ相、Ｖ相、Ｗ相のコイルが、モータハウジング２の本体部２ａの内周面に取り付けられている。
【００２８】
また、電動過給機１では、インバータハウジング４の右端部に蓋部１８が取り付けられている。インバータハウジング４と蓋部１８とによって囲まれた空間は、インバータ室１９として形成される。インバータ室１９内には、インバータ２０が設けられている。
【００２９】
さらに、電動過給機１では、バスバ装置２１がインバータハウジング４の隔壁部４ｂに取り付けられている。バスバ装置２１は、ステータ１７の巻線と、インバータ２０とを接続する。具体的に、インバータハウジング４の隔壁部４ｂには、左右方向に貫通した隔壁貫通孔４ｃが形成されている。バスバ装置２１は、隔壁貫通孔４ｃを介して、モータ室１４とインバータ室１９とに跨って設けられている。なお、バスバ装置２１について、詳しくは後述する。
【００３０】
電動過給機１では、インバータ２０からバスバ装置２１を介してステータ１７の巻線に電力（例えば、１００Ａ以上）が供給される。そうすると、コンプレッサインペラ１０は、ステータ１７のコイルと永久磁石１６との相互作用によって、シャフト９および永久磁石１６と一体になって回転する。コンプレッサインペラ１０が回転すると、上記のとおりに、空気が昇圧されてエンジンの吸気口に導かれる。
【００３１】
隔離貫通孔２ｄは、モータハウジング２の隔離部２ｂに、左右方向に貫通している。コンプレッサインペラ１０の回転力によって昇圧された空気は、隔離貫通孔２ｄを通って、モータ室１４内に流入する。そのため、コンプレッサハウジング６内の圧力とモータ室１４内の圧力との圧力差が、減らされる。これにより、電動過給機１は、例えばシャフト９の左方向のスラスト力を低減することが可能となっている。
【００３２】
一方で、インバータ室１９は、大気圧である。したがって、インバータ室１９は、隔壁部４ｂを挟んで形成されたモータ室１４と比べて低圧となっている。そのため、ステータ１７の巻線およびインバータ２０を接続するバスバ装置２１と、隔壁部４ｂの隔壁貫通孔４ｃとの間に隙間が形成されると、モータ室１４内に供給される空気は、インバータ室１９内に流入してしまう。
【００３３】
そこで、電動過給機１では、バスバ装置２１と、隔壁部４ｂの隔壁貫通孔４ｃとの間から空気がインバータ室１９内に流入しないように以下のような構成となっている。
【００３４】
図２（ａ）は、モータ室１４側から観たバスバ装置２１の斜視図である。図２（ｂ）は、インバータ室１９側から観たバスバ装置２１の斜視図である。図２（ｃ）は、図２（ａ）におけるＸ−Ｘ線断面図である。
【００３５】
図２（ａ）および図２（ｂ）に示すように、バスバ装置２１は、プレート部３０、バスバ３１、樹脂部３２およびインサートナット３３を含んで構成されている。プレート部３０は、金属材でなる略直方体の平板である。プレート部３０は、バスバ貫通孔３０ａが形成されている。プレート部３０は、バスバ貫通孔３０ａに３つのバスバ３１を挿通されている。また、プレート部３０は、バスバ貫通孔３０ａを挟んで両側に、ナット貫通孔３０ｂが形成されている。ナット貫通孔３０ｂは、ネジ溝を有するインサートナット３３が嵌め込まれる。ここで、プレート部３０は金属材に限らず、例えば樹脂材とすることができる。樹脂材の場合、プレート部３０と上述の樹脂部３２が一体で成形される。
【００３６】
バスバ３１は、導電性の金属材（例えば、銅）でなる平板である。バスバ３１は、円筒形状の端子部３１ａが一体形成されている。端子部３１ａは、バスバ３１におけるモータ室１４側の一端に形成されている。また、バスバ３１は、インバータ室１９側に配される他端部がＬ形状に屈曲されている。バスバ３１は、屈曲された部分よりも末端側に締結貫通孔３１ｂが形成されている。
【００３７】
バスバ３１は、プレート部３０のバスバ貫通孔３０ａに間隔を持って挿通されている。インサートナット３３は、バスバ装置２１が電動過給機１の隔壁部４ｂに取り付けられた際に、プレート部３０のナット貫通孔３０ｂに対してモータ室１４側に突出する。そして、バスバ装置２１は、プレート部３０に対してバスバ３１およびインサートナット３３が挿通された状態で、樹脂部３２が形成される。樹脂部３２は、非導電性の樹脂を例えばナノモールディングすることによって形成される。換言すると、樹脂部３２は、プレート部３０とバスバ３１との間に樹脂（部材）が満たされる。また、樹脂部３２は、プレート部３０とインサートナット３３との間に樹脂が満たされることで形成される。
【００３８】
樹脂部３２は、プレート部３０に対してバスバ３１を隙間なく取り付ける。つまり、樹脂部３２は、モータ室１４とインバータ室１９とを連通する空隙を形成することなく取り付ける。樹脂部３２は、プレート部３０に対してインサートナット３３を隙間なく取り付ける。また、樹脂部３２は、図２（ｃ）に示すように、インサートナット３３のモータ室１４側（図中、矢印Ｌ方向）の端部を塞ぐ。したがって、インサートナット３３のネジ溝は、インバータ室１９側に開口する。また、インサートナット３３のネジ溝は、モータ室１４には貫通されていない。
【００３９】
図１に戻り、電動過給機１は、シール部３４が設けられている。シール部３４は、インバータハウジング４の隔壁部４ｂにおけるモータ室１４側の側面に、隔壁貫通孔４ｃを囲むようにリング溝内に形成される。シール部３４は、例えば、Ｏリングが適用される。
【００４０】
そして、インバータハウジング４の隔壁部４ｂに対してバスバ装置２１が取り付けられる際、モータ室１４側から、バスバ３１の他端部が隔壁部４ｂの隔壁貫通孔４ｃに挿通される。このとき、３つのバスバ３１の他端部に形成されたＬ字形状が全て同一方向に揃うようにプレート部３０に取り付けられる。そのため、隔壁貫通孔４ｃにバスバ３１を容易に挿入することができる。そして、ボルト３５は、プレート部３０をシール部３４に当接させた状態で、インバータ室１９側から隔壁部４ｂの隔壁貫通孔４ｃを介してインサートナット３３に螺合される。これにより、バスバ装置２１は、インバータハウジング４の隔壁部４ｂに対して取り付けられる。
【００４１】
また、ステータ１７の巻線の端部は、バスバ３１の端子部３１ａにヒュージング溶接により接合される。これにより、ステータ１７の巻線とバスバ３１とが接続される。さらに、ボルト３６は、バスバ３１の他端部に形成された締結貫通孔３１ｂ（図２参照）と、インバータ２０の出力端子２０ａに形成された貫通孔とに挿通される。その後、ナット３７は、ボルト３６の挿通方向とは反対側からボルト３６に対して螺合される。これにより、インバータ２０とバスバ３１とが接続される。
【００４２】
このようにバスバ装置２１は、隔壁部４ｂに対して取り付ける。これにより、シール部３４は、プレート部３０と隔壁部４ｂとの間をシールすることができる。また、樹脂部３２は、プレート部３０とバスバ３１との間をシールすることができる。また、樹脂部３２は、インサートナット３３のモータ室１４の端部が塞がれるようにナノモールディングされている。これにより、樹脂部３２は、インサートナット３３とボルト３５との間をシールすることができる。
【００４３】
したがって、バスバ装置２１は、相対的に高圧なモータ室１４内に配されるステータ１７の巻線（モータ１５）と、相対的に低圧なインバータ室１９内に配されるインバータ２０とが隔壁部４ｂを介して接続された際に、モータ室１４からインバータ室１９への空気の流入を防止することができる。
【００４４】
また、バスバ装置２１は、プレート部３０がモータ室１４側から隔壁部４ｂに対して取り付けられている。そのため、バスバ装置２１は、相対的に高圧なモータ室１４内の内圧により隔壁部４ｂに押し付けられる。これにより、バスバ装置２１は、シール性を高めることができる。
【００４５】
隔壁部４ｂの隔壁貫通孔４ｃとバスバ３１との間をシールする方法としてハーメチックシール（ガラス封止）を行うことも可能である。しかしながら、ハーメチックシールを行うと高価になってしまう。また、ハーメチックシールは、円柱形状のバスバにしか行うことができない。そのため、ハーメチックシールでは、装置が大型化してしまう。これに対して、バスバ装置２１は、プレート部３０および平板のバスバ３１に対して樹脂部３２をナノモールディングするといった簡易な構成である。また、バスバ装置２１は、安価でかつ小型化が可能となる。
【００４６】
また、隔壁部４ｂの隔壁貫通孔４ｃに対してバスバ３１を溶接することも可能である。しかしながら、溶接は、隔壁部４ｂとバスバ３１とを絶縁させる必要がある。また、溶接は、施工が高価となってしまう。これに対して、バスバ装置２１は、プレート部３０および平板のバスバ３１に対して樹脂部３２を非導電性の樹脂（部材）でナノモールディングするといった簡易な構成である。そのため、バスバ装置２１は、樹脂部３２によって隔壁部４ｂとバスバ３１との絶縁を、安価に行うことができる。
【００４７】
<変形例１>
図３（ａ）は、モータ室１４側から観たバスバ装置１００の斜視図である。図３（ｂ）は、インバータ室１９側から観たバスバ装置１００の斜視図である。図３（ｃ）は、図３（ａ）におけるＹ−Ｙ線断面図である。なお、上記の実施形態と同一の構成には、同一の符号を付し、説明を省略する。以下では、上記の実施形態におけるバスバ装置２１の変形例１を説明する。
【００４８】
図３（ａ）および図３（ｂ）に示すように、バスバ装置１００は、プレート部１０２、バスバ３１、樹脂部１０４および突出部１０６を含んで構成されている。プレート部１０２、樹脂部１０４および突出部１０６は、樹脂がナノモールディングされることにより一体形成されている。
【００４９】
プレート部１０２は、金属材でなる略直方体の平板状である。プレート部１０２は、樹脂部１０４を介して３つのバスバ３１が取り付けられる。また、プレート部１０２には、３つのバスバ３１の両側に、突出部１０６が一体形成されている。突出部１０６は、プレート部１０２における３つのバスバ３１を挟んで両側に、モータ室１４側に突出する。突出部１０６は、図３（ｃ）に示すように、ネジ溝１０８が形成されている。ネジ溝１０８は、モータ室１４側（図中、矢印Ｌ方向）の端部が塞がれる。
【００５０】
バスバ３１の他端部は、インバータハウジング４の隔壁部４ｂに対してバスバ装置１００が取り付けられる際、モータ室１４側から隔壁部４ｂの隔壁貫通孔４ｃに挿通される。そして、ボルト３５は、プレート部１０２をシール部３４に当接させた状態で、インバータ室１９側から隔壁部４ｂの隔壁貫通孔４ｃを介してネジ溝１０８に螺合される。これにより、バスバ装置１００は、インバータハウジング４の隔壁部４ｂに対して取り付けられる。
【００５１】
このようにバスバ装置１００は、隔壁部４ｂに対して取り付けられる。これにより、バスバ装置１００は、プレート部１０２と隔壁部４ｂとの間をシール部３４でシールすることができる。またバスバ装置１００は、プレート部１０２とバスバ３１との間を樹脂部１０４でシールすることができる。また、突出部１０６には、モータ室１４側の端部がシールされるようにネジ溝１０８が形成されている。これにより、バスバ装置１００は、ネジ溝１０８とボルト３５との間もシールすることができる。
【００５２】
したがって、バスバ装置１００は、上記の実施形態におけるバスバ装置２１と同様に、モータ室１４からインバータ室１９への空気の流入を防止することができる。また、バスバ装置１００は、シール性を高めることができる。
【００５３】
<変形例２>
図４（ａ）は、モータ室１４側から観たバスバ装置２００の斜視図である。図４（ｂ）は、インバータ室１９側から観たバスバ装置２００の斜視図である。図４（ｃ）は、図４（ａ）におけるＺ−Ｚ線断面図である。なお、上記の実施形態と同一の構成には、同一の符号を付し、説明を省略する。以下では、上記の実施形態におけるバスバ装置２１の変形例２を説明する。
【００５４】
図４（ａ）および図４（ｂ）に示すように、バスバ装置２００は、プレート部３０、バスバ３１、樹脂部２０２、インサートナット３３および袋ナット２０４を含んで構成されている。プレート部３０は、金属材でなる略直方体の平板である。プレート部３０は、バスバ貫通孔３０ａが形成されている。バスバ貫通孔３０ａは、３つのバスバ３１を挿通される。プレート部３０は、両側にナット貫通孔３０ｂが形成されている。両側のナット貫通孔３０ｂには、インサートナット３３および袋ナット２０４を取り付けられる。
【００５５】
バスバ３１は、プレート部３０のバスバ貫通孔３０ａに挿通される。インサートナット３３は、プレート部３０のナット貫通孔３０ｂに挿通される。インサートナット３３は、モータ室１４側に突出する。袋ナット２０４は、インサートナット３３のモータ室１４側に配される。そして、樹脂部２０２は、プレート部３０に対してバスバ３１およびインサートナット３３が挿通され、インサートナット３３に対して袋ナット２０４が配された状態で、非導電性の樹脂をナノモールディングすることによって形成される。樹脂部２０２は、プレート部３０とバスバ３１との間に樹脂がナノモールディングされる。また、樹脂部２０２は、プレート部３０とインサートナット３３および袋ナット２０４との間に樹脂がナノモールディングされることで形成される。
【００５６】
樹脂部２０２は、プレート部３０に対してバスバ３１を隙間なく取り付ける。また、樹脂部２０２は、プレート部３０に対してインサートナット３３および袋ナット２０４を隙間なく取り付ける。なお、樹脂部２０２は、図４（ｃ）に示すように、袋ナット２０４の頭部が露出するようにナノモールディングされている。
【００５７】
そして、バスバ３１の他端部は、インバータハウジング４の隔壁部４ｂに対してバスバ装置２００が取り付けられる際、モータ室１４側から隔壁部４ｂの隔壁貫通孔４ｃに挿通される。そして、ボルト３５は、プレート部３０をシール部３４に当接させた状態で、インバータ室１９側から隔壁部４ｂの隔壁貫通孔４ｃを介してインサートナット３３および袋ナット２０４に螺合される。これにより、バスバ装置２００は、インバータハウジング４の隔壁部４ｂに対して取り付けられる。
【００５８】
このようにバスバ装置２００は、隔壁部４ｂに対して取り付けられることで、プレート部３０と隔壁部４ｂとの間をシール部３４でシールすることができる。また、バスバ装置２００は、プレート部３０とバスバ３１との間を樹脂部２０２でシールすることができる。また、バスバ装置２００は、袋ナット２０４が設けられていることにより、インサートナット３３とボルト３５との間もシールすることができる。
【００５９】
したがって、バスバ装置２００は、上記の実施形態におけるバスバ装置２１、および、変形例１のバスバ装置１００と同様に、シール性を高めることができる。
【００６０】
以上、添付図面を参照しながら本開示の好適な実施形態について説明したが、本開示はかかる実施形態に限定されないことは言うまでもない。当業者であれば、特許請求の範囲に記載された範疇において、各種の変更例または修正例に想到し得ることは明らかであり、それらについても当然に本開示の技術的範囲に属するものと了解される。
【００６１】
例えば、上述した実施形態および変形例では、電動過給機１を例に挙げて説明したが、これには一例にすぎない。相対的に高圧な高圧空間と相対的に低圧な低圧空間とを隔てる隔壁部４ｂを介して、電力を供給する電力供給装置と、電力の供給を受けて作動する作動装置とが、バスバ装置２１、１００、２００を介して接続される種々の電動装置に適用することができる。
【００６２】
また、実施形態および変形例では、電力を供給する電力供給装置としてインバータ２０、電力の供給を受けて作動する作動装置としてモータ１５を例に挙げて説明したが、これらは一例にすぎない。電力供給装置としては、電力を供給するものであればよい。また、作動装置としては、電力の供給を受けて作動するものであればよい。
【００６３】
また、実施形態および変形例では、作動装置としてのモータ１５が相対的に高圧な高圧空間（モータ室１４、第１の空間）に設けられている。また、電力供給装置としてのインバータ２０が相対的に低圧な低圧空間（インバータ室１９、第２の空間）に設けられている。しかしながら、これに限らず、作動装置および電力供給装置の一方が高圧空間に設けられ、作動装置および電力供給装置の他方が低圧空間に設けられるようにすればよい。
【００６４】
また、実施形態および変形例では、バスバ３１の一端に端子部３１ａが設けられている。また、他端がＬ字状に屈曲するとともに締結貫通孔３１ｂが形成されている。しかしながら、バスバ３１の形状はこれに限らず、他の形状であってもよい。
【００６５】
また、実施形態および変形例では、３つのバスバ３１が設けられている。しかしながら、バスバ３１の数はいくつであってもよい。またバスバ３１の配置は、略一直線に限らず、プレート部３０に応じて、一直線からズレていても、多角形の頂点に配置するなどでも構わない。
【００６６】
また、実施形態および変形例では、プレート部３０として略直方体の平板が設けられている。しかしながら、これに限られない。例えば、バスバ３１の配置に対応して、楕円形状、三角形状などの多角形状、または扇形状を底面とした平板形状であってもよい。また、ボルト３５の配置は２か所に限られず、３か所以上や所定のシール性が確保できれば１か所でも構わない。
【００６７】
また、実施形態および変形例において、電動過給機の構成として、モータハウジング２に設けられた軸受７と、インバータハウジング４に設けられた軸受８について説明した。例えば、軸受７や軸受８として、すべり軸受や転がり軸受が考えられる。また具体的には、図１に示すように、転がり軸受の一例として、グリース潤滑の玉軸受とすることができる。この場合、例えば、上述の隔離貫通孔２ｄが形成されると、この隔離貫通孔２ｄを通って昇圧された空気がモータ室１４内に流入し、軸受貫通孔２ｃの径方向内側に配置される軸受内部への空気侵入を抑えることになる。空気が軸受内部を通過する際に、この流れによってグリースを軸受外部に持ち去ることを抑制し、軸受機能の耐久性を向上することができる。
【００６８】
また、実施形態および変形例においてバスバ装置２１、１００、２００について説明した。しかしながら、これに限らず、少なくとも、電力供給装置（インバータ２０）と作動装置（モータ１５）とを接続するバスバ３１と、バスバ３１が挿通されたプレート部３０と、プレート部３０とバスバ３１との間に満たされる、非導電性の樹脂部３２、とが設けられていればよい。
【００６９】
また、実施形態および変形例においてプレート部３０、１０２が金属材でなるように説明した。しかしながら、プレート部３０、１０２は金属材に限らず、例えば樹脂材とすることができる。樹脂材の場合、プレート部３０、１０２と上述の樹脂部３２、１０４、２０２が一体で成形されることとなる。
【産業上の利用可能性】
【００７０】
本開示は、相対的に高圧な高圧空間と相対的に低圧な低圧空間とを隔てる隔壁部を介して、電力を供給する電力供給装置と、電力の供給を受けて作動する作動装置とが、バスバを介して接続される電動装置および電動過給機に利用することができる。
【符号の説明】
【００７１】
１  電動過給機（電動装置）
４ｂ  隔壁部
４ｃ  隔壁貫通孔
９  シャフト
１０  コンプレッサインペラ
１４  モータ室（高圧空間、第１の空間）
１５  モータ（作動装置）
１７  ステータ
１９  インバータ室（低圧空間、第２の空間）
２０  インバータ（電力供給装置）
２１  バスバ装置
３０  プレート部
３１  バスバ
３２  樹脂部
３３  インサートナット
３４  シール部
３５  ボルト
１００  バスバ装置
１０２  プレート部
１０４  樹脂部
１０８  ネジ溝
２００  バスバ装置
２０２  樹脂部
２０４  袋ナット
【図１】
2017141877.tif 000003
【図２】
2017141877.tif 000004
【図３】
2017141877.tif 000005
【図４】
2017141877.tif 000006
【国際調査報告】
2017141877.tif 000007
2017141877.tif 000008
2017141877.tif 000009
2017141877.tif 000010